(57)【特許請求の範囲】
【請求項１】
モータカバーとブラケットＡに保持されたステータと、軸受によって前記モータカバーと前記ブラケットＡに保持された電機子と、前記モータカバーに備えられた一対のブラシと、かつ、出力軸に設けられたインペラと、インペラの下方に配されたエアガイドと、前記インペラ及びエアガイドを覆うファンケースから構成される電動送風機で、内部に制御基板を保持するための、上面基板保持リブ、下面基板保持リブを備えた基板収納部を前記モータカバーの一部に有し、かつ、前記モータカバーに備えられ、電動送風機内部側には第一の接点部、外部側には第二の接点部の二つの接点部を略Ｊ字形状の内側に有する配電板と、制御基板の両面に備えられた両面接点板の間で電気的接続される構成であって、制御基板の両面接点板が配電板の開口部へ案内されるための基板さそいリブを前記基板収納部に設けたことを特徴とする電動送風機。
【請求項２】
制御基板をモータカバーの基板収納部に収納しない状態で、モータカバーに備えられ接点部が略Ｊ字形状の配電板の第一の接点部が、基板収納部の下面基板保持リブの保持面より、上面基板保持リブ側に突出し設けられていることを特徴とする請求項１記載の電動送風機。
【請求項３】
制御基板に実装される放熱フィンから接点板先端部までの距離ａと、モータカバーの基板収納部の底面から配電板の開口部先端までの距離ｂが、ａ＞ｂの関係にあることを特徴とする請求項１または２記載の電動送風機。
【請求項４】
モータカバーの基板収納部に配されている上面基板保持リブ、下面基板保持リブのうち、少なくともどちらか一方のリブの基板収納部開口部方向の端部に傾斜を有することを特徴とする上記請求項１〜３のいずれか１項記載の電動送風機。
【発明の詳細な説明】
【０００１】
【発明の属する技術分野】
本発明は、電気掃除機の吸引用送風機に用いられる電動送風機のうちで、電動送風機の一部に制御基板を搭載し、かつ、電動送風機内部から略Ｊ字形状でバネ性のある配電板で制御基板の接点部に二カ所以上で接触し電力の供給を行う構成の電動送風機に関するもので、特に近年市場から要求される高品質、高信頼性、長寿命化に関するものである。
【０００２】
【従来の技術】
近年、家庭用電気掃除機は、吸込仕事率のハイパワー化とともに、高品質、高信頼性、長寿命化が要求されている。
【０００３】
従来の電気掃除機用電動送風機１を図１０〜１２に示す。整流子５は、複数個の整流子片６からなり、電機子コア３に巻かれている電機子巻線４の端部は整流子片６へつながれており、整流子５とともにシャフト８上に設けられ電動送風機１の電機子２を構成している。電機子２のシャフト８は第１の軸受９、第２の軸受１０を介して電動送風機１の固定部であるモータカバー１１や、ブラケットＡ１２に固定されている。
【０００４】
界磁コア１４に巻かれた界磁巻線１３は巻枠１５に設けられている界磁接点板１６へつながれステータ２５を形成している。カーボンブラシ２０はモータカバー１１に固定された異形管１８に挿入され、異形管１８内を摺動し、一端が整流子５と接している。出力軸のシャフト８にインペラ２４が備えられ、インペラ２４の外周部に通風路を形成するエアガイド２２が配されており、ファンケース２３がこれらを覆うように取り付けられ電動送風機１となる。
【０００５】
電動送風機１への供給電力を制御する制御基板２６は、モータカバー１１の一部に設けられた収納部２７に挿入され収められ、収納部２７の一部に設けられている突起部２８によって端面を挿入方向へ押さえられ、制御基板２６が収納部２７から抜けるのを防止している。また、制御基板２６には電力伝達用の両面接点板２９が備えられている。一方モータカバー１１に備えられている配電板３０は略Ｊ字形状で、バネ性があり弾性力を備えており、先端には第一の接点部３１と第二の接点部を有し、制御基板２６上の両面接点板２９と接触し、かつ、中間接点部３３はステータ２５の界磁接点板１６へ接触し、制御基板２６から電動送風機１への電力伝達を担っている。
【０００６】
上記構成において、電動送風機１に供給される電力は、まず制御基板２６に供給され、両面接点板２９から主に第一の接点部３１を介し配電板３０に通じ、中間接点部３３から巻枠１５の界磁接点板１６を介して、界磁巻線１３を通った後、カーボンブラシ２０、整流子片６の経路をたどり電機子巻線４へ供給され、電機子２が回転し電動送風機１が運転される。
【０００７】
【発明が解決しようとする課題】
このような従来の構成の電気掃除機用電動送風機１では、電動送風機１に電力が供給される中で、制御基板２６の両面接点板２９と配電板３０との接点を二つ以上とし、接点部の信頼性を向上してきたが、配電板３０の先端接点部を略Ｊ字形状とするＷ接点の配電板を使用すると、接点部の信頼性は向上するが、制御基板２６を収納部２７へ挿入する組立の工程で、略Ｊ字形状の配電板３０の開口部の間へ、制御基板２６の両面接点板２９の先端部の位置を合わすことに注意が必要で、制御基板２６が所定の収納状態と異なり、傾斜した状態で挿入され、配電板３０の開口部分を外れると（図１１）、配電板３０自身を変形させたり、所望の接続状態に至らず（図１２）接触不良等の不良を発生し不具合が生じる。
【０００８】
本発明は、上記課題を解決するもので、制御基板の接点板上の残留フラックスや塵埃等の侵入による接触不良を防止できる信頼性の高いＷ接点の配電板を使用するとともに、その際、制御基板を基板収納部に挿入する時に、確実に挟み込み方式Ｗ接点の配電板に基板の接点部を接続させることによって、接点部分の接触不良を低減し、高品質、高信頼性、長寿命で、かつ、電動送風機に制御基板を取り付ける際の組立性の改善を図ることを目的としている。
【０００９】
【課題を解決するための手段】
本発明は、上記の目的を達成するために、モータカバーとブラケットＡに保持されたステータと、軸受によって前記モータカバーと前記ブラケットＡに保持された電機子と、前記モータカバーに備えられた一対のブラシと、かつ、出力軸に設けられたインペラと、インペラの下方に配されたエアガイドと、前記インペラ及びエアガイドを覆うファンケースから構成される電動送風機で、内部に制御基板を保持するための、上面基板保持リブ、下面基板保持リブを備えた基板収納部を前記モータカバーの一部に有し、かつ、前記モータカバーに備えられ、電動送風機内部側には第一の接点部、外部側には第二の接点部の二つの接点部を略Ｊ字形状の内側に有する配電板と、制御基板の両面に備えられた両面接点板の間で電気的接続される構成であって、制御基板の両面接点板が配電板の開口部へ案内されるための基板さそいリブを前記基板収納部に設けたことにより、制御基板をモータカバーの基板挿入部へ挿入する際、基板さそいリブが制御基板の接点板を、配電板の開口部へ確実に挿入されるように案内するので、制御基板と配電板の電気的接続部をＷ接点とし、接点部の信頼性の向上を図るとともに、配電板の挟み込み開口部に確実に基板接点が接触する構成となるので、モータカバーの基板収納部への基板挿入の組立性を良くし、かつ、塵埃等異物による接触不良を防止することができる。
【００１０】
【発明の実施の形態】
本発明の請求項１記載の発明は、モータカバーとブラケットＡに保持されたステータと、軸受によって前記モータカバーと前記ブラケットＡに保持された電機子と、前記モータカバーに備えられた一対のブラシと、かつ、出力軸に設けられたインペラと、インペラの下方に配されたエアガイドと、前記インペラ及びエアガイドを覆うファンケースから構成される電動送風機で、内部に制御基板を保持するための、上面基板保持リブ、下面基板保持リブを備えた基板収納部を前記モータカバーの一部に有し、かつ、前記モータカバーに備えられ、電動送風機内部側には第一の接点部、外部側には第二の接点部の二つの接点部を略Ｊ字形状の内側に有する配電板と、制御基板の両面に備えられた両面接点板の間で電気的接続される構成であって、制御基板の両面接点板が配電板の開口部へ案内されるための基板さそいリブを前記基板収納部に設けたことにより、制御基板と配電板の電気的接続部をＷ接点とすると同時に、配電板の挟み込み開口部に確実に基板接点が接触する構成となるので、モータカバーの基板収納部への基板挿入の組立性を良くし、かつ、塵埃等異物による接触不良を防止することができる。
【００１１】
さらに、請求項２記載の発明は、制御基板をモータカバーの基板収納部に収納しない状態では、モータカバーに備えられ、接点部が略Ｊ字形状の配電板の第一の接点部が、基板収納部の下面基板保持リブの保持面より、上面基板保持リブ側に突出し設けられているので、常に配電板の第一の接点部は基板の接点板方向へ付勢されているので、制御基板の両面接点板上にフラックス等の異物が付着している場合でも、基板挿入時に異物を削除しながら接続を確保するので、接触不良を防止することができる。
【００１２】
さらに、請求項３記載の発明は、制御基板に実装される放熱フィンから接点板先端部までの距離ａと、モータカバーの基板収納部の底面から配電板の開口部先端までの距離ｂが、ａ＞ｂの関係に設定したことにより、制御基板が傾斜した状態で挿入されても、放熱フィンを基板収納部底部の放熱フィン用溝に先に入れるので、基板の傾きが修正され所定の収納状態になった後、両面接点板は配電板の挟み込み開口部に導かれるため、配電板を変形させること無く、確実に基板接点が接触する構成となるので、モータカバーの基板収納部への基板挿入の組立性をさらに良くすることができる。
【００１３】
また、請求項４記載の発明は、モータカバーの基板収納部に配されている上面基板保持リブ、下面基板保持リブのうち、少なくともどちらか一方のリブの基板収納部開口部方向の端部に傾斜を設けたので、基板保持リブの端部を傾斜させ、基板のさそいとすることで、制御基板の傾きをあらかじめ大まかに修正した後、所定の収納状態へ導き易くするので、組立の際モータカバーの収納部へ基板を挿入する工程で、基板を所定位置に簡単に入れ易くできる。
【００１４】
【実施例】
（実施例１）
以下本発明の第１の実施例を図１〜５を参照しながら説明する。
【００１５】
図に示されるように、電動送風機５１に供給される電力を制御する制御基板６４は、モータカバー５４の一部に設けられた制御基板収納部６８に挿入され、収納部６８の入り口部付近に備えられている抜け防止用突起６９によって保持されている。制御基板６４には反部品実装面から実装面にかけ両面に連なる形で電力伝達用の両面接点板６５が設けられている。また、バネ用リン青銅等の弾力性のある材質からなる配電板６６の一端はモータカバー５４に固定されており、他端の、先端部は略Ｊ字形状に形成され制御基板６４の両面接点板６５の外周を挟持するようになっておりさらに前記略Ｊ字形状の内側に設けられた第１の接点部８２と、第２の接点部８３によって、制御基板６４の両側から両面接点板６５に接している。
【００１６】
第１、第２のそれぞれの接点部８２、８３は両面接点板６５に圧接されるよう付勢され、かつ、略中間部分に備えられた中間接点部７１はステータ５９の界磁接点板７０と接触し、制御基板６４から配電板６６を介し、ステータ５９へと電力を伝達している。
【００１７】
また、基板収納部６８内側の側面には、基板さそいリブ８４が設けられており、制御基板８４の挿入の際の基板の傾き等を抑制し、上面基板保持リブ８５、下面基板保持リブ８６の間へと制御基板６４を案内する。
【００１８】
上記構成において動作を説明すると、電動送風機５１と制御基板６４を組立てる工程において、制御基板６４をモータカバー５４の収納部６８へ挿入する際、まず基板さそいリブ８４が制御基板６４の傾きを矯正し、制御基板６４を上面基板保持リブ８５と下面基板保持リブ８６の間へと案内する。この状態で制御基板６４を所定位置まで挿入することで、制御基板６４の両面接点板６５は、配電板６６の開口部へ確実に挿入されるため、配電板６６の開口部より両面接点板６５が外れた状態で、配電板６６を変形させながら挿入されることを防ぐことができる。
【００１９】
（実施例２）
以下本発明の第２の実施例を図６を参照しながら説明する。第１の実施例と同一部品については同一符号を用いて説明を省略する。
【００２０】
図に示されるように、モータカバー５４に一端を保持されている略Ｊ字形状の配電板６６の第一の接点部８２が、基板収納部６８に設けられている下面基板保持リブ８６の基板保持面（Ｑ面）より、上面基板保持リブ８５側に突出させている。
【００２１】
上記構成において動作を説明すると、電動送風機５１と制御基板６４を組立てる工程において、制御基板６４をモータカバー５４の基板収納部６８へ挿入する際、基板の両面接点板６５に対し、常に圧接状態で接触しながら、制御基板６４が所定位置まで挿入されるので、制御基板６４の両面接点板６５上にフラックスや、僅かな塵埃等が付着していても、制御基板６４の基板収納部６８への挿入時に、接点部８２にそぎおとされ配電板と両面接点板の接続が確実にできる。
【００２２】
（実施例３）
以下本発明の第３の実施例を図７、８を参照しながら説明する。なお上記実施例と同一部品については、同一符号を用いて説明を省略する。
【００２３】
図に示すように、制御基板６４に備えられている放熱フィン８７の先端部から、両面接点板６５までの長さａと、モータカバー５４の基板収納部６８の底部６９から配電板６６の先端開口部までの長さｂが、ａ＞ｂの関係になっている。
【００２４】
上記構成において動作を説明すると、電動送風機５１と制御基板６４を組立てる工程において、制御基板６４をモータカバー５４の収納部６８へ挿入する際、基板収納部６８の底部６９に設けられた放熱フィン挿入溝８８へ、放熱フィン８７を挿入することで、制御基板６４が傾斜した状態を矯正でき、この状態で制御基板６４を所定位置まで挿入することで、制御基板６４の両面接点板６５は、配電板６６の開口部へ確実に挿入されるため、配電板６６の開口部より両面接点板６５が外れた状態で、配電板６６を変形させながら挿入されることを防ぐことができる。
【００２５】
（実施例４）
以下本発明の第４の実施例を図９を参照しながら説明する。
【００２６】
上記実施例と同一部品については、同一符号を用いて説明を省略する。
図９に示されるように、モータカバー５４の基板収納部６８内に備えられている下面基板保持リブ８６の基板収納部６８開口部側の端部に傾斜９０を形成している。
【００２７】
上記構成において動作を説明すると、電動送風機５１と制御基板６４を組立てる工程において、制御基板６４をモータカバー５４の収納部６８へ挿入する際、制御基板６４の傾きを下面基板保持リブ８６の傾斜９０に沿わせながら挿入することで、あらかじめ制御基板６４の傾きを大まかに修正でき、簡単に制御基板６４を所定の収納状態とすることができ、制御基板６４の両面接点板６５は、配電板６６の開口部へ確実に挿入されるため、配電板６６の開口部より両面接点板６５が外れた状態で、配電板６６を変形させながら挿入されることを容易に防ぐことができる。
【００２８】
【発明の効果】
本発明の請求項１記載の発明は、内部に制御基板を保持するための、上面基板保持リブ、下面基板保持リブを備えた基板収納部をモータカバーの一部に有し、かつ、前記モータカバーに備えられ、電動送風機内部側には第一の接点部、外部側には第二の接点部の二つの接点部を略Ｊ字形状の内側に有する配電板と、制御基板の両面に備えられた両面接点板の間で電気的接続される構成であって、制御基板の両面接点板が配電板の開口部へ案内されるための基板さそいリブを前記基板収納部に設けたことにより、制御基板と配電板の電気的接続部をＷ接点とすると同時に、配電板の挟み込み開口部に確実に基板接点が接触する構成となるので、モータカバーの基板収納部への基板挿入の組立性を良くし、かつ、塵埃等異物による接触不良を防止することができる。
【００２９】
本発明の請求項２記載の発明は、制御基板をモータカバーの基板収納部に収納しない状態では、モータカバーに備えられ、接点部が略Ｊ字形状の配電板の第一の接点部が、基板収納部の下面基板保持リブの保持面より、上面基板保持リブ側に突出し設けられているので、常に配電板の第一の接点部は基板の接点板方向へ付勢されているので、制御基板の両面接点板上にフラックス等の異物が付着している場合でも、基板挿入時に異物を削除しながら接続を確保するので、接触不良を防止することができる。
【００３０】
本発明の請求項３記載の発明は、制御基板に実装される放熱フィンから接点板先端部までの距離ａと、モータカバーの基板収納部の底面から配電板の開口部先端までの距離ｂが、ａ＞ｂの関係に設定したことにより、制御基板が傾斜した状態で挿入されても、放熱フィンを基板収納部底部の放熱フィン用溝に先に入れるので、基板の傾きが修正され所定の収納状態になった後、両面接点板は配電板の挟み込み開口部に導かれるため、配電板を変形させること無く、確実に基板接点が接触する構成となるので、モータカバーの基板収納部への基板挿入の組立性をさらに良くすることができる。
【００３１】
本発明の請求項４記載の発明は、モータカバーの基板収納部に配されている上面基板保持リブ、下面基板保持リブのうち、少なくともどちらか一方のリブの基板収納部開口部方向の端部に傾斜を設けたので、基板保持リブの端部を傾斜させ、基板のさそいとすることで、制御基板の傾きをあらかじめ大まかに修正した後、所定の収納状態へ導き易くするので、組立の際モータカバーの収納部へ基板を挿入する工程で、基板を所定位置に簡単に入れ易くできる。
【図面の簡単な説明】
【図１】（ａ）本発明の第１の実施例を示す電動送風機の一部破断側面図で、同図（ｂ）のＡ−Ｏ−Ｂ−Ｃ−Ｄで破断した側面図
（ｂ）同電動送風機の下面図
【図２】同電動送風機の要部下面図
【図３】図２のＸ−Ｘ断面図
【図４】図２のＸ−Ｘ断面図
【図５】図２のＸ−Ｘ断面図
【図６】本発明の第２の実施例を示す電動送風機で、図２のＹ−Ｙ断面図
【図７】本発明の第３の実施例を示す電動送風機で、図２のＹ−Ｙ断面図
【図８】同電動送風機の制御基板の外観斜視図
【図９】本発明の第４の実施例を示す電動送風機で、図２のＹ−Ｙ断面図
【図１０】（ａ）従来の電動送風機の一部破断側面図で、同図（ｂ）のＡ−Ｏ−Ｂ−Ｃ−Ｄで破断した側面図
（ｂ）同電動送風機の下面図
【図１１】同電動送風機の要部断面図
【図１２】同電動送風機の要部断面図
【符号の説明】
１  電動送風機
１１  モータカバー
２６  制御基板
２７  基板収納部
２９  両面接点板
３０  配電板
３１  第一の接点部
３２  第二の接点部
５１  電動送風機
５４  モータカバー
６４  制御基板
６５  両面接点板
６６  配電板
６８  基板収納部
６９  底部
７０  界磁接点板
８２  第一の接点部
８３  第二の接点板
８４  さそいリブ
８５  上面基板保持リブ
８６  下面基板保持リブ
８７  放熱フィン
８８  放熱フィン用溝
９０  傾斜部
【図１】
0003572813.tif 000002
【図２】
0003572813.tif 000003
【図３】
0003572813.tif 000004
【図４】
0003572813.tif 000005
【図５】
0003572813.tif 000006
【図６】
0003572813.tif 000007
【図７】
0003572813.tif 000008
【図８】
0003572813.tif 000009
【図９】
0003572813.tif 000010
【図１０】
0003572813.tif 000011
【図１１】
0003572813.tif 000012
【図１２】
0003572813.tif 000013